(57)【要約】      （修正有）【課題】オペレータに、装置により必要とされるユーザアクションに関する十分なガイダンスを提供できる血液浄化装置のフィードバック方法を提供する。【解決手段】血液浄化装置の動作フローの現在位置において、動作フローの後続ステップのうちの少なくとも１つのステップで、ユーザインタラクションが期待され、および／または必要とされるかをモニタするステップと、ユーザインタラクションが必要とされ、および／または期待されると判断された場合、その種類を判断するステップと、少なくとも１つの後続ステップで必要とされ、および／または期待されるユーザインタラクションの判断された種類を示すユーザインタラクションフィードバックを、グラフィカルユーザインタフェースの中のユーザインタラクションに対応するアクティブエレメントに事前にアクティベートするステップと、を備える。【選択図】図１
2016087441.tif 000002
【特許請求の範囲】
【請求項１】
血液浄化装置において期待され、および／または必要とされるユーザインタラクションに関するフィードバックを提供する方法であって、
前記血液浄化装置の動作フローにおける現在位置において、前記動作フローの後続ステップのうちの少なくとも１つのステップで、ユーザインタラクションが期待され、および／または必要とされるか否かをモニタするステップと、
前記モニタするステップで、ユーザインタラクションが必要とされ、および／または期待されると判断された場合、必要とされ、および／または期待されるユーザインタラクションの種類を判断するステップと、
前記少なくとも１つの後続ステップにおいて必要とされ、および／または期待されるユーザインタラクションの判断された種類を示すユーザインタラクションフィードバックを、グラフィカルユーザインタフェースの中の前記ユーザインタラクションに対応するアクティブエレメントにおいて事前にアクティベートするステップと、
を備える方法。
【請求項２】
前記必要なユーザインタラクションを判断するステップで判断された前記ユーザインタラクションの種類にしたがって、静的な、または動画のユーザインタラクションフィードバックを選択するステップを備える、請求項１に記載の方法。
【請求項３】
前記事前にアクティベートするステップにおいて、前記ユーザインタラクションフィードバックとして、一定の色の静止フレーム、静止フレームにおける色のグラデーション、一定の色であって、現れたり消えたりを繰り返すフレーム、色が変わる静止フレーム、点滅速度が変化する点滅フレーム、および／または一定の色であって、交互に大きくなったり小さくなったりするフレームが、アクティベートする、請求項１または２に記載の方法。
【請求項４】
前記ユーザインタラクションフィードバックのための少なくとも１つの制御パラメータを設定するステップを備えており、
前記パラメータは、前記アクティブエレメントにおける前記ユーザインタラクションフィードバックの外観を制御する、請求項１〜３の何れか１項に記載の方法。
【請求項５】
前記少なくとも１つの制御パラメータは、アクティブエレメントを取り囲むフレームが前記ユーザインタラクションフィードバックとして現れる時の色、および／またはグラデーションが開始する時および終了する時のグラデーションの色として使用する色のペアを定義する色パラメータ、ユーザインタラクションフィードバックの動画の速度を定義する速度パラメータ、アクティブエレメントを取り囲むフレームの濃さを定義する罫線太さパラメータ、および／または前記ユーザインタラクションフィードバックの可視性を制御するイネーブルパラメータを備える、請求項４に記載の方法。
【請求項６】
前記アクティブエレメントにおける前記ユーザインタラクションフィードバックの動画の位置、大きさ、および／またはタイプを変化させるステップを備える、請求項１〜５の何れか１項に記載の方法。
【請求項７】
判断可能なユーザインタラクションに割り当てられていない予備のユーザインタラクションフィードバック変数が、例外的な装置の状態が発生した場合に、通常を超えると判断されたユーザアクションのために設定されたユーザインタラクションフィードバックをさらに強力にするエスカレーションステップにおいて使用可能とされる、請求項１〜６の何れか１項に記載の方法。
【請求項８】
完了と判断されたユーザインタラクションが、装置内のイベントをトリガした、および／または実行されたことが検出されたときに、前記アクティブエレメントにおける前記ユーザインタラクションフィードバックをリセットするステップを備える、請求項１〜７の何れか１項に記載の方法。
【請求項９】
血液浄化装置において、モニタ可能な動作フローと、前記装置内の１つまたは複数のイベントをトリガし、前記モニタ可能な動作フローのモニタリングに基づいて判断および／または期待されるユーザインタラクションに関するユーザインタラクションフィードバックを提示するように構成された１つまたは複数のアクティブエレメントを含むグラフィカルユーザインタフェースとに割り当てられるコンポーネント、を備える、請求項１〜８の何れか１項に記載の方法を実行するように構成された血液浄化装置。
【発明の詳細な説明】
【技術分野】
【０００１】
本発明は一般に、血液浄化および腎代替療法に関する。より詳しくは、本発明は、血液浄化および腎代替療法中の装置の動作をモニタすること、およびモニタされた装置の動作の分析に基づいてユーザフィードバックを生成することに関する。
【背景技術】
【０００２】
血液浄化装置は複雑なシステムであり、それ自体、ハードウェアとソフトウェアのコンポーネントの複合である。このような機械のオペレータは、次に自分が何をすることが必要とされ、および／または期待されるか、機械にインタラクションが必要か否か、および、もしそうであれば、そのインタラクションをどのように行えばよいかが分からないことが多い。
【０００３】
既知の方法とシステムにおいて、使用者がグラフィカルユーザインタフェースを使って可変的なパラメータ値を素早く、容易に制御でき、また、使用者がこのような変数の制御を所望の精度で得ることができるように、装置は、パラメータ値を制御するための多数の機能、すなわちパラメータ制御機能を備えるように設計されている場合がある。１つのこのようなシステムは、例えば４つの制御機能、すなわちデータ入力機能、シングルステップ機能、スクロール機能、および変換機能を提供する。使用者は、実現する必要のある制御の特定量または制御の種類を考慮して、パラメータ値の制御に使用される特定の制御機能を選択できる。
【０００４】
他の既知の医療機器は、パラメータを設定するためのユーザインタフェースを備えており、また、前記パラメータの数値を可視化するスクリーンと、インタフェースに接続された主制御ユニットと、スクリーン上の画像に対応するデータを保存するための、どちらも主制御ユニットに接続されている第１のメモリおよびビデオメモリと、を備える。主制御ユニットは、パラメータに新たな値を設定でき、当該新しい値をスクリーン領域に表示させ、当該新しい値を第一のメモリに保存し、ビデオメモリから前記スクリーン領域を表すデータを捕捉し、前記表すデータから、表示された値が第１のメモリ内の値に対応するか否かを確認する。
【０００５】
さらなる他の既知の装置は、筐体と、筐体内に配置された医療的治療機のコンポーネントと、筐体によって支持されるとともに、医療的治療に関する情報と指標の少なくとも１つを表示するビデオモニタと、筐体に当たる周辺光のレベルを感知できるように筐体に対して位置付けられた周辺光センサと、センサによって感知された周辺光のレベルに基づいて、ビデオモニタ用のバックライトの明るさレベルを制御するように構成されたロジック実行手段と、を備える。
【０００６】
したがって、既知の医療装置はしばしば、グラフィカルユーザインタフェースにおいて、アイコン、音声、動画、およびその他を使って、装置の要素の状態についてのフィードバックをオペレータに提供するが、腎代替療法装置のグラフィカルユーザインタフェースは、装置そのものが複雑であるため、非常に複雑で、込み入っていることがある。グラフィカルユーザインタフェースは、重要な情報を表示し、オペレータがイベントをトリガするための手段を提供する。しかしながら、スクリーン上に一度に多くの要素がありすぎると、装置の有用性が低くなる可能性がある。したがって、オペレータが自分の求めるすべての情報を瞬時に見つけることができ、自分が何をしなければならないかについて、装置によりサポートされることが重要である。
【０００７】
例として挙げた既知の種類の装置は、血液浄化装置において、使用者の自信と有用性を向上させることを視野に入れて、ユーザインタラクションが必要か否か、そしてどのユーザインタフェースエレメントが関係するかに関する十分なフィードバックを提供することに対するいかなる好適な概念も生み出そうとしていない。
【発明の概要】
【発明が解決しようとする課題】
【０００８】
上記を鑑みて、本発明の目的は、オペレータに、装置により必要とされるユーザアクションに関する十分なガイダンスを提供できる腎代替療法および／または血液浄化用の装置およびそのための方法を提供することにある。
【０００９】
これに加えて、本発明は、ユーザインタフェースの特定の要素に使用者の注意を引き、込み入ったスクリーン上であっても使用者を手助けするための方法を提供する。
【課題を解決するための手段】
【００１０】
本発明によれば、この目的は、特許請求の範囲の請求項１において定義される血液浄化装置においてフィードバックを提供する方法、また請求項９に記載の方法を実行するように構成された血液浄化装置により達成される。本発明の有利なさらなる改良は、付属従属項の主旨である。
【００１１】
本発明のもとになる基本的概念によれば、グラフィカルユーザインタフェースは、各種のエレメント、例えばボタン、アイコン、ボックス、数値、テキスト等からなる。このようなユーザインタフェースエレメントは、アクティブとすることができる。これは、オペレータが、例えばそれに触れるか、またはジェスチャを行うことによって、それとのインタラクションが可能であることを意味する。このアクションは、装置内のイベントをトリガする。本発明の趣旨は、ユーザインタフェースのアクティブエレメントに静的な、または動画による特徴（例えば、色、点滅）を与えることにより、使用者の注意を引いて、使用者の注意をそのエレメントへと誘導し、使用者からのアクションが期待されていることを示唆し、および／またはそのエレメントとのインタラクションの必要性を示唆する、というものである。このような概念の中で、ユーザインタフェースエレメントは、ユーザインタラクションが必要であることを事前に指示する。指示は、任意のグラフィカルなハイライトや変化の形態をとることができ、例えば色、形状、透明性、その他の動的な変化によるものとすることができる。
【００１２】
本発明の有利な効果には、ユーザアクションが必要なユーザインタフェースエレメントに使用者の注意を向けることによる有用性の向上が含まれる。これによって、知覚し易さが向上し、認知的負荷が軽減し、それにより、ユーザインタラクションを迅速化でき、使用者の自信を高める。これに加えて、本発明は一般に、期待されているユーザアクションに関する支援とヒントを使用者に提供でき、オペレータは次のユーザアクションに進むまでに何のパラメータが必要とされ、そして設定しなければならないかを知ることができ、ボタンのうち１つにインタラクションが必要であることを知ることができる。また、これらの有利な効果によって、使用者が装置を使用している間の使用者の自信が高まり、それに関わる人間と機械とのインタラクションの質が改善され、ひいては装置の有用性が向上する。
【００１３】
本発明のある態様によれば、上記の目的は、血液浄化装置において、期待され、および／または必要とされるユーザインタラクションに関するフィードバックを提供する方法によって達成され、これは、前記血液浄化装置の動作フローにおける現在位置において、前記動作フローの後続ステップのうちの少なくとも１つのステップで、ユーザインタラクションが期待され、および／または必要とされるか否かをモニタするステップと、前記モニタするステップで、ユーザインタラクションが必要とされ、および／または期待されると判断された場合、必要とされ、および／または期待されるユーザインタラクションの種類を判断するステップと、前記少なくとも１つの後続ステップにおいて必要とされ、および／または期待されるユーザインタラクションの判断された種類を示すユーザインタラクションフィードバックを、グラフィカルユーザインタフェースの中の前記ユーザインタラクションに対応するアクティブエレメントにおいて事前にアクティベートするステップと、を備える。
【００１４】
好ましくは、前記必要なユーザインタラクションを判断するステップで判断された前記ユーザインタラクションの種類にしたがって、静的な、または動画のユーザインタラクションフィードバックを選択するステップもまた提供される。グラフィカルユーザインタフェースにおいて、アクティブエレメントとしてのソフトボタンは、任意に設計でき、その付近に複数の機能を割り当てることができる。したがって、アクティブエレメントには、使用者に対するフィードバックの表示を複数割り当てることができる。すると、ある静止したユーザインタラクションフィードバックは、例えば「このボタンを押す」を意味することができ、同じボタンの動画によるユーザインタラクションは、「このボタンをもう一度押す」、と示すことができるなどである。
【００１５】
したがって、さらに好ましくは、前記事前にアクティベートするステップにおいて、前記ユーザインタラクションフィードバックとして、一定の色の静止フレーム、静止フレームにおける色のグラデーション、一定の色であって、現れたり消えたりを繰り返すフレーム、色が変わる静止フレーム、点滅速度が変化する点滅フレーム、および／または一定の色であって、交互に大きくなったり小さくなったりするフレームが、アクティベートする。
【００１６】
さらにまた好ましくは、前記ユーザインタラクションフィードバックのための少なくとも１つの制御パラメータを設定するステップが提供され、前記パラメータは、前記アクティブエレメントにおける前記ユーザインタラクションフィードバックの外観を制御する。
【００１７】
この点において、前記少なくとも１つの制御パラメータは、アクティブエレメントを取り囲むフレームが前記ユーザインタラクションフィードバックとして現れる時の色、および／またはグラデーションが開始する時および終了する時のグラデーションの色として使用する色のペアを定義する色パラメータ、ユーザインタラクションフィードバックの動画の速度を定義する速度パラメータ、アクティブエレメントを取り囲むフレームの濃さを定義する罫線太さパラメータ、および／または前記ユーザインタラクションフィードバックの可視性を制御するイネーブルパラメータを備えていると有利である。
【００１８】
また、好ましくは、前記アクティブエレメントにおける前記ユーザインタラクションフィードバックの動画の位置、大きさ、および／またはタイプを変化させるステップが提供される。
【００１９】
次に好ましくは、判断可能なユーザインタラクションに割り当てられていない予備のユーザインタラクションフィードバック変数が、例外的な装置の状態が発生した場合に、通常を超えると判断されたユーザアクションのために設定されたユーザインタラクションフィードバックをさらに強力にするエスカレーションステップにおいて使用可能とされる。実際には、現在トリガされているイベントおよび／またはその状態に起因しない緊急停止状態、部品の不具合、制御の不安定化、および即時注意喚起の必要性といった予見しない例外が発生しうる。通常の制御およびフィードバックの表現以上のことが可能であることは、このような場合に即座に使用者の注意を引くのを助けるために有利である。
【００２０】
これに加えて、好ましくは、完了と判断されたユーザインタラクションが、装置内のイベントをトリガした、および／または実行されたことが検出されたときに、前記アクティブエレメントにおける前記ユーザインタラクションフィードバックをリセットするステップが提供される。それによって、任意のフィードバック表現も停止され、使用者は自分のインタラクションが成功したことを容易に確認でき、次のフィードバックが、同じまたは別のアクティブエレメントに表示されれば、次に自分に何を行うことが期待されているかが分かる。
【００２１】
本発明の他の態様によれば、上記の目的はまた、モニタ可能な動作フローと、前記装置内の１つまたは複数のイベントをトリガし、前記モニタ可能な動作フローのモニタリングに基づいて判断および／または期待されるユーザインタラクションに関するユーザインタラクションフィードバックを提示するように構成された１つまたは複数のアクティブエレメントを含むグラフィカルユーザインタフェースとに割り当てられるコンポーネント、を備える血液浄化装置によって達成され、血液浄化装置は、上記のステップの１つによる方法を実行するように構成される。有利な点として、その方法は、サポートするハードウェアを備え、その方法を実行するように構成された何れの血液浄化または腎治療装置または機械でも実行できる。
【００２２】
以下に本発明を、その好ましい実施形態に基づき、添付の図面を参照しながらより詳しく説明する。
【図面の簡単な説明】
【００２３】
【図１】好ましい実施形態において、血液浄化装置のグラフィカルユーザインタフェースにおけるアクティブエレメントに、ユーザインタラクションフィードバックを提供する血液浄化装置の動作フローのフローチャートを概略的に示す。
【図２】この実施形態において実行される制御による使用者へのフィードバック表現を概略的に例示する。
【発明を実施するための形態】
【００２４】
一般に、好ましい実施形態に関して、その構成は基本的に、具現化された血液浄化装置のフィードバック方法から恩恵を受ける血液浄化装置／機械または血液浄化関連装置に提供されるサポート用ハードウェアに依存する。したがって、このようなハードウェアは、特に、その状態またはステータスを問い合わせ、ポーリングし、サンプリングすることができ、または装置の動作中に特定の値を供給できるセンサ、検出器、ポンプ、フィルタ、および各種のその他のプロセスおよび測定手段、および、このように問い合わせが行われたステータスおよび／または数値を処理して、その処理の結果に基づく出力を生成するように構成された適当な手段を備えることができる。
【００２５】
図１は、好ましい実施形態において、血液浄化装置のグラフィカルユーザインタフェースにおけるアクティブエレメントに、ユーザインタラクションフィードバックを提供する血液浄化装置の動作フローのフローチャートを概略的に示す。
【００２６】
基本的な装置の処理は、その装置の動作フローをモニタし、ステップＳ１０において、本実施形態の動作フローへと枝分かれする。ステップＳ１０において、いわば本実施形態の目的のために、動作フローの現在位置が特定される、または示される。次いで、プロセスはステップＳ２０に進む。
【００２７】
ステップＳ２０において、動作フローの現在のステップよりも後続ステップのうちの少なくとも１つのステップで、ユーザインタラクションが必要であるか否かが判断される。換言すれば、制御部は、使用者が後にその装置のグラフィカルユーザインタフェースを介して何らかのアクションを取る必要があるかという点について、先を、あるいはそれが実行している動作フローのさらに「下流」を事前に見越す。
【００２８】
このように先を見越すことは、例えば所定の数の後続ステップを含むことができ、より詳細には、ユーザインタラクションフィードバックを、対応するアクティブエレメントにおいて適時に、いかなる待機状態、遅延、およびその他を発生させずにアクティベートするのに十分な処理時間を持たせるように構成できる。すなわち、アクティブエレメントにおけるユーザインタラクションフィードバックは、装置または動作フローがそのユーザインタラクションの実行を実際に必要とする、および／または期待する前に提供できる。
【００２９】
次のステップＳ３０において、この点についてチェックした結果、必要なユーザインタラクションがない場合、プロセスはステップＳ１０に戻り、動作フローの中の現在位置を引き続き追跡し、動作フローの後の位置の何れかにユーザインタラクションの必要性が関わるか否かについて、構成されたステップ範囲で先を引き続き注視する。換言すれば、ステップＳ１０〜Ｓ３０は、ユーザインタラクションの必要性が「やがて」検出されるまで繰り返される。
【００３０】
ステップＳ３０におけるチェックの結果、ユーザインタラクションが必要である場合、プロセスはステップＳ４０に進み、ステップＳ４０において、必要とされるユーザインタラクションの種類、タイプ、分類、カテゴリ等が判断される。ユーザインタラクションの種類は、アクティブエレメントでの異なるユーザインタラクションフィードバック間での切替および／または選択を行うために使用することができる。すなわち、特定の種類のユーザインタラクションに関する特定のフィードバックを選択し、異なる種類のユーザインタラクションに関する異なるフィードバックを選択するために使用することができる。区別可能なユーザインタラクションの種類の数は特に制限されないが、一般に、１つまたはそのアクティブエレメントで表現可能なフィードバック表示の数に対応し、より単純なケースでは、１つだけであることは当然である。必要とされるユーザアクションの種類を判断した後、プロセスはステップＳ５０に進む。
【００３１】
ステップＳ５０において、ステップＳ４０で判断されたユーザインタラクションの種類に応じて、静的な、または動画によるユーザインタラクションフィードバックが選択される。この選択ステップでは、ユーザインタラクションフィードバックの、いわば基本タイプが設定される。すると、プロセスは次のステップＳ６０に進む。
【００３２】
ステップＳ６０において、ステップＳ５０で選択されたユーザインタラクションフィードバックの基本タイプを所望の形態に構成するパラメータが設定される。
【００３３】
本実施形態において、グラフィクス（静的なまたは動画の何れか）がボタンの上またはその周囲に配置される。グラフィクスは、ボタンの輪郭をたどり、辺は着色および／または動画とされ、その中央は、ボタンが見えるように透明になっている。動画とされる場合、動画は様々な形態をとることができ、例えば、一定の色の静止フレーム、静止フレームの色のグラデーション（例えば２色）、一定の色で現れたり消えたりするのを繰り返すフレーム、色が変わる静止フレーム、点滅速度が変化する点滅フレーム、一定の色で大きくなったり小さくなったりするフレーム、およびその他によって表現できる。
【００３４】
このような動画自体は、例えば、設定が必要なパラメータ（必要とされるパラメータ）を、それらを取り囲む一定の色の静止フレームにより目立たせるため、および／または期待される次のユーザアクションとして押す必要のあるボタンを、一定の色で点滅を繰り返すフレームにより目立たせるために使用できる。このような表示は、任意選択でグラフィクスをハイライトまたは変更するあらゆる形態をとることができ、例えば色、形状、透明性等を動的に変化させる。さらなる変更は、ユーザインタフェースエレメントの位置または大きさを変化させ、または他の動画による特徴（例えば、旋回）を導入することができる。
【００３５】
したがって、ステップＳ６０において、パラメータの例として、これに限定することなく、色パラメータは、フレームが現れる時の色、またはグラデーションが、開始時および終了時のグラデーション色として使用する色のペアを定義する。速度パラメータは、動画の速度を定義できる。０に設定されるとフレームは静止し、０以外に設定されると、フレームはグラデーション角度を回転させるか、色の透明性の数値を０から１００に、およびその逆に変化させて点滅効果を提供する。罫線太さパラメータは、フレームの厚さの画素数を定義する。イネーブルパラメータは、動画の可視性を制御するために使用される。イネーブルパラメータが１に設定されると動画はアクティブで見え、０に設定されると動画は隠れる。
【００３６】
次のステップＳ７０において、以前に設定された定義にしたがって、現在のユーザインタラクションフィードバックがアクティブエレメントでアクティベートされる。
【００３７】
ステップＳ７０において、現在適用可能なユーザインタラクションフィードバックがアクティブエレメントに設定された後、プロセスはステップＳ８０に進む。ステップＳ８０において、必要とされる、および／または期待されるユーザインタラクションが行われたか否か、または利用者によって実行されたか否かが確認される。
【００３８】
ステップＳ８０において、そのユーザインタラクションが完了していない、または起こらなかったことがわかると、プロセスはステップＳ７０に戻る。すなわち、ステップＳ７０とＳ８０は繰り返されて、利用者が必要とされる、および／または期待されるアクションを実行するまで、アクティブエレメントでのユーザインタラクションフィードバックがその現在の表現において有効なままとされる。それが実行されると、プロセスはステップＳ９０に進む。
【００３９】
ステップＳ９０において、必要とされ、および／または期待されて実行されたユーザのタスクが終了され、したがって、アクティブエレメントのユーザインタラクションフィードバックは、使用者により容易に認識される所定のフィードバック無しの状態にリセットされる。アクティブエレメントでのユーザインタラクションフィードバックをリセットすることは、例えば点灯状態を消灯にすること、動画を停止させること、色を標準または通常に戻すこと、およびその他を含んでいてもよい。また、それに関連して、判断されたユーザインタラクションフィードバックの種類、選択された基本表現のタイプ、および基本表現を変化させるあらゆるパラメータ等のプロセス可変値も初期状態に戻されてよく、次のプロセス実行時にそこからプロセスが適切に開始される。
【００４０】
このような次の実行をトリガするために、本実施形態のプロセスは、ステップＳ９０からステップＳ１０に戻るように設計されている。すなわち、血液浄化装置が動作しているかぎり無限ループとして構成される。このようにして、装置が動作中であるかぎり、永続的なモニタリングとユーザインタラクションフィードバックが行われる。しかしながら、当然のことながら、本発明はこのような永久的ループに限定されず、異なるプロセス終了方法も使用できる。
【００４１】
図２を参照すると、この実施形態において実行される制御によるユーザインタラクションフィードバックの例としてのユーザに対するフィードバックの提示が、例示的な長方形のアクティブエレメントまたはボタンに適した基本形状としての長方形に基づいて概略的に示されている。しかしながら、当然のことながら、長方形以外の様々な表現が可能である。
【００４２】
このために、図２の上半分には、アクティブエレメントとしてのボタンの周囲に設置された一定の色の静止フレームが示されている。色は特定の１つに限定されないことに留意されたい。図２の下半分には、同じボタンにおいて、一定の色で現れたり消えたりを繰り返すフレームが示されている（矢印に沿って、同じボタンにおいて、より短い線の破線で示される、存在しない／消えている状態から、より長い線の破線で示される、部分的に存在する状態、そして実線で示される、存在する／現れている状態への、およびその逆への変化が示される）。もちろん、中間の段階は図２に示されるものより少なくても多くてもよい。
【００４３】
本明細書において開示される好ましい実施形態と教示に沿うかぎり、本発明は、オペレータが装置により期待されるグラフィカルユーザインタフェースでのユーザアクションが装置により期待されているか否かに関するガイダンスを全く、またはほとんど持たないこと、オペレータが、どのグラフィカルユーザインタフェースエレメントを操作する必要があるかに関するガイダンスを全く、またはほとんど持たないこと、およびオペレータが、ユーザインタフェースエレメントをどのように操作するかについてのガイダンスを全くまたはほとんど持たないことから生じる問題の解決策を提供する。
【００４４】
本発明を好ましい実施形態と添付の図面に関して説明したが、当然のことながら、本発明はこの好ましい実施形態に関して開示された具体的な詳細にいかようにも限定されず、本明細書で提示された教示に基づいて当業者にとって容易に明らかと変更はすべて、付属の特許請求の範囲により定義される保護範囲の中に含まれるとみなされる。
【図１】
2016087441.tif 000003
【図２】
2016087441.tif 000004
【外国語明細書】
2016087441000001.pdf
2016087441000002.pdf
2016087441000003.pdf
2016087441000004.pdf